(57)【特許請求の範囲】
【請求項１】
照明器具に着脱可能に取り付けられる光源ユニットにおいて、
四角形状をなす板状のユニット板状本体部と、
前記ユニット板状本体部の一方の面に配置される光源モジュールと、
前記一方の面の反対側の他方の面に前記四角形状の一辺に沿って取り付けられ、前記照明器具に配置された第１の相手部品と係合する複数の光源側係合部と、
前記他方の面に前記一辺に対向する他辺に沿って配置され、前記第１の相手部品とは異なる、第２の相手部品に引っ掛けられる複数の引掛部であり、前記一辺から前記他辺に向かう第一の方向と、前記第一の方向の反対方向の第二方向とにスライド可能な複数の引掛部とを備え、
前記複数の光源側係合部は、
前記複数の引掛部が前記第２の相手部品に引っ掛けられている前記照明器具への取り付け完了前の状態から取り付け完了にかけて、前記第１の相手部品によって弾性力に基づき引っ張られ、
前記複数の引掛部は、
前記取り付け完了前の状態から前記取り付け完了にかけて、前記第二方向にスライドする光源ユニット。
【請求項２】
前記引掛部は、
前記第一の方向にスライドする場合、前記ユニット板状本体部の前記他方の辺よりも前記第一の方向である外側に一部が突出する請求項１に記載の光源ユニット。
【請求項３】
スライド可能な引掛部を有する光源ユニットが着脱可能に取り付けられる照明器具において、
四角をなす板状の器具板状本体部と、
前記器具板状本体部の四辺からそれぞれ斜めに立ち上がることで立ち上がりの端部によって前記器具板状本体部を拡大投影した形状の四角形状の開口を形成する傾斜部と、
前記器具板状本体部の一辺に沿って配置され、前記光源ユニットに配置された相手部品と係合する複数の器具側係合部と、
四辺から立ち上がる前記傾斜部のうち、前記一辺に対向する他辺から立ち上がる前記傾斜部に配置され、前記光源ユニットの前記引掛部が引っ掛けられる器具側引っ掛け部とを備え、
前記複数の器具側係合部は、
前記引掛部が前記器具側引っ掛け部に引っ掛けられている前記光源ユニットの取り付け完了前の状態から取り付け完了にかけて、前記相手部品を弾性力に基づき引っ張り、
前記器具側引っ掛け部は、
前記取り付け完了前の状態から前記取り付け完了にかけて、前記引掛部を前記他辺から前記一辺に向かう方向にスライドさせる照明器具。
【請求項４】
請求項１に記載の光源ユニットと、
請求項３に記載の照明器具とを有する照明装置。
【請求項５】
前記光源ユニットは、
前記ユニット板状本体部が、前記照明器具の前記器具板状本体部と平行となるように、かつ、前記器具板状本体部が上となり、前記ユニット板状本体部が下となるような配置状態で前記照明器具に取り付けられ、
前記光源ユニットは、
前記配置状態で、上下方向に対する直角方向となる水平方向の大きさが、前記照明器具よりも大きい請求項４に記載の照明装置。
【発明の詳細な説明】
【技術分野】
【０００１】
この発明は、光源ユニット、照明器具及び照明装置に関する。
【背景技術】
【０００２】
光源ユニットを照明器具に着脱可能に取り付ける技術がある（例えば、特許文献１、２）。光源ユニットの一方側を引っかけてから、他方側をバネで光源ユニットを引き上げる場合、光源ユニットが回動する際の透光性カバーの可動スペースが必要となっていた。そのため、例えば、照明器具が埋め込まれているときなどは、照明器具の大きさよりも光源ユニット（透光性カバー）を大きくしようすると、光源ユニットを回動させるときに、透光性カバーが天井の埋め込み穴にあたってしまい、光源ユニットを回動させることができず、光源ユニットを外すことができなくなる恐れがあった。
【先行技術文献】
【特許文献】
【０００３】
【特許文献１】特開２０１２−２２６９５６号公報
【特許文献２】特開２０１４−７８４２６号公報
【発明の概要】
【発明が解決しようとする課題】
【０００４】
本発明は、光源ユニットを取り付ける際、照明器具からの突出量を抑えることを目的とする。
【課題を解決するための手段】
【０００５】
この発明の光源ユニットは、
照明器具に着脱可能に取り付けられる光源ユニットにおいて、
四角形状をなす板状のユニット板状本体部と、
前記ユニット板状本体部の一方の面に配置される光源モジュールと、
前記一方の面の反対側の他方の面に前記四角形状の一辺に沿って取り付けられ、前記照明器具に配置された相手部品と係合する複数の光源側係合部と、
前記他方の面に前記一辺に対向する他辺に沿って配置され、前記光源側係合部の前記相手部品とは異なる前記照明器具に配置された相手部品に引っ掛けられる複数の引掛部であり、前記一方の面から前記他方の面に向かう第一の方向と、前記第一の方向の反対方向の第二方向とにスライド可能な複数の引掛部とを備える。
【発明の効果】
【０００６】
本発明の光源ユニットは、スライド可能な複数の引掛部を備えるので、取り付ける際、照明器具からの突出量を抑えることができる。
【図面の簡単な説明】
【０００７】
【図１】実施の形態１の図で、照明装置１００の斜視図。
【図２】実施の形態１の図で、照明器具２００、光源ユニット３００の分解斜視図。
【図３】実施の形態１の図で、照明装置１００を天面方向から見たときの上視図。
【図４】実施の形態１の図で、照明装置１００の４面図。
【図５】実施の形態１の図で、光源ユニット３００における係合受部３５０の取付面を示す斜視図。
【図６】実施の形態１の図で、取付バネ２３０の斜視図。
【図７】実施の形態１の図で、引っ掛け固定具２５０を説明するための斜視図。
【図８】実施の形態１の図で、係合受部３５０の斜視図。
【図９】実施の形態１の図で、引っ掛け部３７０の斜視図。
【図１０】実施の形態１の図で、引っ掛け部３７０のスライドを説明する斜視図。
【図１１】実施の形態１の図で、光源ユニット３００を照明器具２００の引っ掛け固定具２５０にぶら下げた状態を示す図。
【図１２】実施の形態１の図で、光源ユニット３００の照明器具２００への取り付け過程を説明するための断面図。
【図１３】実施の形態１の図で、照明装置１００の断面図。
【図１４】実施の形態１の図で、照明装置１００の意匠の効果を説明する図。
【発明を実施するための形態】
【０００８】
実施の形態１．
図１〜図１４を用いて、本実施の形態を示す光源ユニット３００、照明器具２００及び照明装置１００を説明する。
【０００９】
＜＊＊＊構成の説明＊＊＊＞
図１に示すように、照明装置１００は、外郭形状がスクエア形の照明器具２００と、照明器具２００に取り付けられる光源ユニット３００とを備える。
【００１０】
照明器具２００は、正方形状の器具板状本体部２１０と、この器具板状本体部２１０の四辺から折り曲げられて形成される４つの縁部２２０と、器具板状本体部２１０に取り付けられる２つの取付バネ２３０と、同じく器具板状本体部２１０に取り付けられ、外部から引き込まれる電源線が取り付けられる電源端子台２４０と、縁部２２０に取り付けられる２つの引っ掛け固定具２５０と、を備える。
【００１１】
（照明器具２００）
図２に示すように、照明器具２００は、四角形状あるいは正方形状の器具板状本体部２１０と、器具板状本体部２１０の四辺のそれぞれから折り曲げられて形成される４つの縁部２２０と、器具板状本体部２１０に取り付けられる２つの取付バネ２３０と、同じく器具板状本体部２１０に取り付けられ、外部から引き込まれる電源線（図示しない）と電線２４１とコネクタ４００Ｍが取り付けられる電源端子台２４０と、縁部２２０に取り付けられる２つの引っ掛け固定具２５０とを備える。
【００１２】
（縁部２２０）
図２、図１１、図１２に示すように、４つの縁部２２０は、器具板状本体部２１０から斜め方向に立ち上がる傾斜部２２１と、傾斜部２２１の先端から器具板状本体部２１０に対して略垂直となるように折り曲げられて形成される立上部２２２を有する。
【００１３】
（取付バネ２３０）
図２に示すように、２つの取付バネ２３０は、２つの引っ掛け固定具２５０が配置されている縁部２２０と対向する縁部側寄りで器具板状本体部２１０に取り付けられる。
【００１４】
（光源ユニット３００）
図２、図５に示すように、光源ユニット３００は、ユニット本体３１０、ＬＥＤ３２１が実装される光源モジュールであるＬＥＤモジュール３２０、電源３３０、透光性カバー３４０、係合受部３５０、２つ引っ掛け部３７０を備える。なお、図５では簡易化した電源３３０を示した。ＬＥＤモジュール３２０は、ユニット本体３１０に取り付けられる。
電源３３０は、ＬＥＤモジュール３２０が取り付けられる面とは反対側の面のユニット本体３１０に取り付けられる。透光性カバー３４０は、ＬＥＤモジュール３２０を覆うようにユニット本体３１０に取り付けられる。２つの引っ掛け部３７０はユニット本体３１０に取り付けられる。係合受部３５０はユニット本体３１０に取り付けられ、照明器具２００の取付バネ２３０と係合する。
【００１５】
（ユニット本体３１０）
図５に示すように、ユニット本体３１０は、四角形状あるいは正方形状のユニット板状本体部３１１と、ユニット板状本体部３１１の四辺から略垂直方向に折り曲げられる４つの枠部３１２とを備える。
【００１６】
（取付バネ２３０）
図６に示すように、取付バネ２３０は器具板状本体部２１０に取り付けられる取付部２３１、円弧形状をなし、係合受部３５０の開口縁部３５１−１（後述する）と係合する円弧形状部２３２、係合受部３５０の開口縁部３５１−１に引っ掛けられる先端部２３３を有する。
【００１７】
（引っ掛け固定具２５０）
図７に示すように、引っ掛け固定具２５０は板状の部分に引っ掛け部３７０の引掛先端部３７４及び第二の側部３７３（後述する）が引っ掛けられる。係合受部３５０の開口縁部３５１−１に引っ掛けられる先端部２３３を有する。
【００１８】
（係合受部３５０）
図８に示すように、係合受部３５０は、開口３５１が形成されており、取付バネ２３０の円弧形状部２３２が挿し込まれて、円弧形状部２３２が開口３５１の開口縁部３５１−１に対して摺動する。係合受部３５０は、受部側取付部３５２がネジによってユニット板状本体部３１１に形成された本体側取付部３１１ｃに固定されることで、ユニット板状本体部３１１に固定される。
【００１９】
（引っ掛け部３７０）
図９に示すように、引っ掛け部３７０は、対からなる第一の側部３７１、それぞれの第一の側部３７１から立ち上がる立上部３７２、それぞれの立上部３７２から、第一の側部３７１の延びる方向に延びる第二の側部３７３、各第二の側部３７３の端部を接続し、一方の端部となる引掛先端部３７４、他方の端部である固定先端部３７５を有する。
【００２０】
図９の引っ掛け部３７０は、ピアノ線などの線材を折り曲げて形成される。図１０に示すように、４つの枠部３１２のうち一つの枠部３１２寄りのユニット板状本体部３１１に、引っ掛け部３７０をスライド可能に固定する、固定部３１１ａ、スライド固定部３１１ｂが形成されている。固定部３１１ａは、引っ掛け部３７０の第一の側部３７１を挟み込むように、引っ掛け部３７０をスライド可能に支持する。スライド固定部３１１ｂは、引っ掛け部３７０の固定先端部３７５が入り込むことによって、引っ掛け部３７０をスライド可能に固定する。引っ掛け部３７０を、固定部３１１ａ、スライド固定部３１１ｂから引っ張って突出させたとき、引っ掛け部３７０の引掛先端部３７４は、枠部３１２よりも外方に突出する。
【００２１】
（光源ユニット３００の照明器具２００への取付工程）
次に、図１１〜図１３を参照して、光源ユニット３００を照明器具２００に取り付ける工程について説明する。
（１）まず、作業者は、光源ユニット３００の引っ掛け部３７０を引っ張り出し、引っ掛け部３７０を引っ掛け固定具２５０に引っ掛ける。このとき、図１１に示すように光源ユニット３００を照明器具２００（引っ掛け固定具２５０）にぶら下がった状態とすることができる。
（２）次に光源ユニット３００の係合受部３５０側を照明器具２００側に回動させると、引っ掛け部３７０の立上部３７２または第二の側部３７３が引っ掛け固定具２５０に突き当たる。この状態で光源ユニット３００をさらに回動させる、と立上部３７２が引っ掛け固定具２５０にぶつかっているので、引っ掛け部３７０がスライドし始める。
（３）その後、作業者は、取付バネ２３０の先端部２３３を、係合受部３５０の開口縁部３５１−１に引っ掛ける。このとき、図１２に示すように、光源ユニット３００が照明器具２００にぶら下がった仮止め状態とすることができる。
【００２２】
したがって、光源ユニット３００の仮止めの状態で、作業者は、照明器具２００に配置された電源端子台２４０から引き出されている電線のコネクタ４００Ｍと、光源ユニット３００の電源３３０から引き出されている電線のコネクタ４００Ｌとを接続することができる。よって、照明器具２００と光源ユニット３００との結線を容易に行うことができる。
【００２３】
次に、光源ユニット３００の取付バネ２３０側を押し上げていくと、取付バネ２３０のバネ力によって、光源ユニット３００を照明器具２００側に引き上げることができる。このとき、引っ掛け部３７０が引っ掛け固定具２５０に当接し、光源ユニット３００を押し上げていくにしたがって、引っ掛け部３７０は収納する方向に引っ掛け固定具２５０から反力を受ける状態になり、引っ掛け部３７０はスライドして引っ掛け固定具２５０に収納される。
【００２４】
＜＊＊＊効果の説明＊＊＊＞
よって、光源ユニット３００を押し上げる際、回動動作を伴うが、引っ掛け部３７０がスライドすることにより、光源ユニット３００の枠部３１２の角部の照明器具２００の外郭部分からのはみ出し量、突出量を、低減できる。
【００２５】
また、引っ掛け部３７０、引っ掛け固定具２５０の組と、取付バネ２３０、係合受部３５０の組によって光源ユニット３００を照明器具２００に取り付ける。よって、光源ユニット３００の荷重を、引っ掛け部３７０、引っ掛け固定具２５０の組と、取付バネ２３０、係合受部３５０の組に分散できる。この結果、取付バネ２３０に係る荷重を軽減できるので、光源ユニット３００の荷重がかかることによる取付バネ２３０の経年劣化（バネ性の劣化、へたり）の進み具合を遅らせることができる。
【００２６】
また、図１、図２、図４に示すように、照明器具２００に傾斜部２２１を設け、矩形板状のユニット本体３１０よりも、矩形板状の器具板状本体部２１０の板面積を小さくした。よって図１４に示すように、照明装置１００を天井に取り付けた際、人が見上げた場合、照明器具２００が光源ユニット３００によって隠れるので、照明装置１００の意匠性を向上させることができる。
【００２７】
実施の形態１で述べた２つの係合受部３５０は、相手部品である２つの取付バネ２３０と係合する光源側係合部６００である。光源側係合部６００は複数であればよく、この実施の形態では２つの場合を示したが、３つ、４つ等に並んでもよい。
【００２８】
以上の実施の形態１では、複数の係合受部３５０はユニット板状ユニット板状本体部３１１の一方の面に配置された。しかし、係合受部３５０と取付バネ２３０の配置を反対にし、つまり、複数の係合受部３５０を器具板状本体部２１０に配置し、取付バネ２３０をユニット板状ユニット板状本体部３１１に配置してもよい。
【００２９】
複数の取付バネ２３０の各々は係合受部３５０に対応するが、取付バネ２３０の個数についても係合受部３５０と同様であり、取付バネ２３０の個数と同じである。
【００３０】
以上の実施の形態１のＬＥＤモジュール３２０は、ユニット板状本体部３１１、光源モジュール、複数の引掛部５００を備える。ユニット板状本体部３１１は、四角形状をなす板状である。ＬＥＤモジュール３２０であるＬＥＤモジュール３２０は、ユニット板状本体部３１１の一方の面に配置される。
二つの光源側係合部６００である係合受部３５０は、前記一方の面の反対側の他方の面に前記四角形状の一辺に沿って取り付けられ、照明器具２００に配置された相手部品である取付バネ２３０と係合する。
複数の引掛部５００である引っ掛け部３７０は、前記他方の面に前記一辺に対向する他辺に沿って配置され、光源側係合部６００の相手部品とは異なる相手部品に引っ掛けられる。引っ掛け部３７０は、前記一辺から前記他辺に向かう第一の方向と、前記第一の方向の反対方向の第二方向とにスライド可能である。
【００３１】
引掛部５００である引っ掛け部３７０は、第一の方向にスライドする場合、ユニット板状本体部３１１の前記他方の辺よりも前記第一の方向である外側に一部が突出する。
【００３２】
照明器具２００では、傾斜部２２１が、器具板状本体部２１０の四辺からそれぞれ斜めに立ち上がることで立ち上がりの端部によって器具板状本体部２１０を拡大投影した形状の四角形状の開口を形成する。器具側係合部７００である取付バネ２３０は、器具板状本体部２１０の一辺に沿って配置され、光源ユニット３００に配置された相手部品である係合受部３５０と係合する。引掛部５００である引っ掛け固定具２５０は、四辺から立ち上がる傾斜部２２１のうち、前記一辺に対向する他辺から立ち上がる傾斜部２２１に配置され、光源ユニット３００の引掛部５００である引っ掛け部３７０が引掛けられる。
【００３３】
図１、図３、図４の（ａ），図１３等に示すように、実施の形態１の照明装置１００では、光源ユニット３００は、ユニット板状ユニット板状本体部３１１が、照明器具２００の器具板状本体部２１０と平行となるように、かつ、器具板状本体部２１０が上となり、ユニット板状ユニット板状本体部３１１が下となるような配置状態で照明器具２００に取り付けられる。そして光源ユニット３００は、上記配置状態で、上下方向に対する直角方向となる水平方向の大きさが、照明器具２００よりも大きい。
【符号の説明】
【００３４】
１００  照明装置、２００  照明器具、２１０  器具板状本体部、２２０  縁部、２２１  傾斜部、２２２  立上部、２２２ａ  引っ掛け孔、２３０  取付バネ、２４０  電源端子台、２５０  引っ掛け固定具、３００  光源ユニット、３１０  ユニット本体、３１１  ユニット板状本体部、３１１ａ，３１１ｂ  固定部、３１２  枠部、３１２ａ  引っ掛け爪部、３２０  ＬＥＤモジュール、３３０  電源、３４０  透光性カバー、３５０  係合受部、３７０  引っ掛け部、４００ａ，４００ｂ  コネクタ、５００  引掛部、６００  光源側係合部、６００  光源側係合部、７００  器具側係合部、８００  器具側引っ掛け部。
【図１】
0006552216.tif 000002
【図２】
0006552216.tif 000003
【図３】
0006552216.tif 000004
【図４】
0006552216.tif 000005
【図５】
0006552216.tif 000006
【図６】
0006552216.tif 000007
【図７】
0006552216.tif 000008
【図８】
0006552216.tif 000009
【図９】
0006552216.tif 000010
【図１０】
0006552216.tif 000011
【図１１】
0006552216.tif 000012
【図１２】
0006552216.tif 000013
【図１３】
0006552216.tif 000014
【図１４】
0006552216.tif 000015